(57)【要約】【課題】  保有しているコンテンツを適切な時期にユーザへ提供するための方案であって、現在提供されている視聴物に対するユーザの関心度が低い場合、保有しているコンテンツに基づいて製造された鑑賞物を自動に提供する方法及びこれを適用したビデオ機器を提供する。【解決手段】  本鑑賞物の自動提供方法は、現在提供される視聴物に対するユーザの関心度が低ければ、鑑賞物を提供する。【選択図】      図２
2010166561.tif 000002
【特許請求の範囲】
【請求項１】
現在提供される視聴物に対するユーザの関心度を把握するステップと、
前記ユーザの関心度が基準値未満であれば、前記現在提供される視聴物と異なった鑑賞物を提供するステップと、
を含むことを特徴とする鑑賞物の自動提供方法。
【請求項２】
前記把握ステップにおいて、前記ユーザが前記視聴物を提供する装置に対する操作が行われる間に前記ユーザの関心度を把握することを特徴とする請求項１に記載の鑑賞物の自動提供方法。
【請求項３】
前記提供ステップにおいて、前記視聴物に対する前記ユーザの主な視聴を空間的または時間的に妨害しないながらも前記鑑賞物を提供することを特徴とする請求項１に記載の鑑賞物の自動提供方法。
【請求項４】
前記ユーザの主な視聴を時間的に妨害しない場合は、前記視聴物の主な部分が前記鑑賞物によって遮られない場合、前記視聴物に表示された項目が前記鑑賞物によって遮られない場合、及び前記視聴物に表示された項目と同等な形式で鑑賞物を表示する場合のうちの少なくとも１つを含むことを特徴とする請求項３に記載の鑑賞物の自動提供方法。
【請求項５】
前記ユーザの主な視聴を空間的に妨害しない場合は、前記視聴物を構成する場面との間に前記鑑賞物が提供される場合、チャネルのジャッピングにより継続して変更される放送コンテンツとの間に前記鑑賞物が提供される場合、外部入力のジャッピングにより継続して変更されるコンテンツとの間に前記鑑賞物が提供される場合、及び保存されたコンテンツのジャッピングにより継続して変更されるコンテンツとの間に前記鑑賞物が提供される場合のうちの少なくとも１つを含むことを特徴とする請求項３に記載の鑑賞物の自動提供方法。
【請求項６】
前記提供ステップにおいて、
前記ユーザの関心度が基準値未満であれば、前記鑑賞物の長さを決定するステップと、
前記決定ステップにおいて決定された長さで前記鑑賞物を生成するステップと、
前記生成ステップで生成された前記鑑賞物を提供するステップと、
を含むことを特徴とする請求項１に記載の鑑賞物の自動提供方法。
【請求項７】
前記決定ステップにおいて、現在時刻から前記ユーザの予約時刻までの時間及び前記ユーザの以前鑑賞時間のうちの少なくとも１つに基づいて、前記鑑賞物の長さを決定することを特徴とする請求項６に記載の鑑賞物の自動提供方法。
【請求項８】
前記ユーザの予約時刻は、前記ユーザが視聴予約した放送コンテンツが開始する時刻、前記ユーザが視聴予約した視聴物が再生開始する時刻、及び前記ユーザの選好放送コンテンツが開始する時刻のうちの少なくとも１つであることを特徴とする請求項７に記載の鑑賞物の自動提供方法。
【請求項９】
前記把握ステップにおいて、１）前記ユーザがチャネルのジャッピングを行う場合、２）前記ユーザが外部入力のジャッピングを行う場合、３）前記ユーザが保存されたコンテンツのジャッピングを行う場合、４）前記ユーザが前記視聴物の視聴と関連のない操作を行う場合、５）前記ユーザが基準時間以上の間にＥＰＧを操作している場合、及び６）検知されるユーザの行動が特定パターンの行動の場合のいずれか１つであるときは、前記ユーザの関心度を前記基準値未満であると把握することを特徴とする請求項１に記載の鑑賞物の自動提供方法。
【請求項１０】
前記提供ステップにおいて、
前記ユーザの関心度が基準値未満であれば、前記鑑賞物を鑑賞することを誘導するステップと、
前記ユーザが前記鑑賞物の鑑賞に同意すれば、前記鑑賞物を提供するステップと、
を含むことを特徴とする請求項１に記載の鑑賞物の自動提供方法。
【請求項１１】
前記提供ステップにおいて、前記視聴物に対する前記ユーザの主な視聴を妨害しないながらも前記鑑賞物の視聴を誘導することを特徴とする請求項１０に記載の鑑賞物の自動提供方法。
【請求項１２】
視聴物を提供するビデオ出力部と、
該ビデオ出力部を介して現在提供される視聴物に対するユーザの関心度を把握し、前記ユーザの関心度が基準値未満であれば、前記現在提供される視聴物と異なった鑑賞物が前記ビデオ出力部を介して提供されるよう制御する制御部と、
を備えることを特徴とするビデオ機器。
【請求項１３】
前記制御部が、前記視聴物に対する前記ユーザの主な視聴を空間的または時間的に妨害しないながらも前記鑑賞物が提供されるよう制御することを特徴とする請求項１２に記載のビデオ機器。
【請求項１４】
前記ユーザの主な視聴を時間的に妨害しない場合は、
前記視聴物の主な部分に前記鑑賞物によって遮られない場合、前記視聴物に表示された項目が前記鑑賞物によって遮られない場合、及び前記視聴物に表示された項目と同じ形式で鑑賞物を表示する場合のうちの少なくとも１つを含み、
前記ユーザの主な視聴を空間的に妨害しない場合は、
前記視聴物を構成している場面との間に前記鑑賞物が提供される場合、チャネルのジャッピングにより継続して変更される放送コンテンツとの間に前記鑑賞物が提供される場合、外部入力のジャッピングにより継続して変更されるコンテンツとの間に前記鑑賞物が提供される場合、及び保存されたコンテンツのジャッピングにより継続して変更されるコンテンツとの間に前記鑑賞物が提供される場合のうちの少なくとも１つを含むことを特徴とする請求項１３に記載のビデオ機器。
【請求項１５】
前記制御部は、１）前記ユーザがチャネルのジャッピングを行う場合、２）前記ユーザが外部入力のジャッピングを行う場合、３）前記ユーザが保存されたコンテンツのジャッピングを行う場合、４）前記ユーザが前記視聴物の視聴と関連のない操作を行う場合、５）前記ユーザが基準時間以上の間にＥＰＧを操作している場合、及び６）検知されるユーザの行動が特定パターンの行動の場合のいずれか１つであるときは、前記ユーザの関心度を前記基準値未満であると把握することを特徴とする請求項１２に記載のビデオ機器。
【発明の詳細な説明】
【技術分野】
【０００１】
本発明は、鑑賞物の提供方法及びこれを適用したビデオ機器に関し、詳細には、鑑賞物を製造してユーザが鑑賞できるよう提供する鑑賞物の提供方法及びこれを適用したビデオ機器に関する。
【背景技術】
【０００２】
デジタルメディアの発達に伴い、個々人が保有しているコンテンツ量は爆発的に増加しつつある。一方、コンテンツを鑑賞する頻度は逆に減少し、これはコンテンツの保有し過ぎ、またはコンテンツを再生して鑑賞する行為はわずらわしいと思うことに起因する。
【０００３】
また、保存媒体に保存されているコンテンツは、アルバムに収録された写真とは異なってユーザの目には直接見えないことから、かかる現象もコンテンツの鑑賞を低下させる要因として作用する。
【０００４】
コンテンツを保存しているだけで鑑賞しないことは、コンテンツの保有そのものを無意味にするに過ぎない。これによって、コンテンツの鑑賞を図るための方案の摸索が要請されている。
【０００５】
一方、ユーザの希望する放送プログラムが連続に視聴できるようにした仮想チャネルの概念が導入されている。この仮想チャネルは実際存在するチャネルではなく、ユーザに応じてナンバが指定されたチャネルである。したがって、ユーザは仮想チャネルのナンバを直接指定すべきであり、ユーザが指定したナンバは、仮想チャネルを呼び出すために利用される。
【０００６】
しかし、仮想チャネルを介して提供されるものは保存されたコンテンツでない放送プログラムであるため、仮想チャネルは、ユーザの放送プログラムの選択、仮想チャネルナンバの指定、呼び出しなどといったわずらわしい手順を踏まなければならない不具合がある。
【先行技術文献】
【特許文献】
【０００７】
【特許文献１】韓国公開特許２００５−００４９４１８Ａ号
【特許文献２】韓国公開特許２００５−００７７４２７Ａ号
【特許文献３】韓国公開特許２００５−００７２６５２Ａ号
【非特許文献】
【０００８】
【非特許文献１】昌原大大学院KIM  Jung  Min修士論文「ユーザの行動パターンの分析を用いた規則基盤のコンテンツサイトの管理モデル」
【発明の概要】
【発明が解決しようとする課題】
【０００９】
本発明は、前述のような問題を解決するために案出されたものであって、本発明の目的は、保有しているコンテンツを適切な時期にユーザへ提供するための方案であって、現在提供されている視聴物に対するユーザの関心度が低い場合、保有しているコンテンツに基づいて製造された鑑賞物を自動に提供する方法及びこれを適用したビデオ機器を提供することにある。
【課題を解決するための手段】
【００１０】
前述した目的を達成するための本発明に係る鑑賞物の自動提供方法は、現在提供される視聴物に対するユーザの関心度を把握するステップと、前記ユーザの関心度が基準値未満であれば、前記現在提供される視聴物と異なった鑑賞物を提供するステップと、を含む。
【００１１】
また、前記把握ステップにおいて、前記ユーザが前記視聴物を提供する装置に対する操作が行われる間に前記ユーザの関心度を把握することができる。
【００１２】
また、前記提供ステップにおいて、前記視聴物に対する前記ユーザの主な視聴を空間的または時間的に妨害しないながらも前記鑑賞物を提供することが好ましい。
【００１３】
また、前記ユーザの主な視聴を時間的に妨害しない場合は、前記視聴物の主な部分が前記鑑賞物によって遮られない場合、前記視聴物に表示された項目が前記鑑賞物によって遮られない場合、及び前記視聴物に表示された項目と同等な形式で鑑賞物を表示する場合のうちの少なくとも１つを含むことができる。
【００１４】
また、前記ユーザの主な視聴を空間的に妨害しない場合は、前記視聴物を構成する場面との間に前記鑑賞物が提供される場合、チャネルのジャッピングにより継続して変更される放送コンテンツとの間に前記鑑賞物が提供される場合、外部入力のジャッピングにより継続して変更されるコンテンツとの間に前記鑑賞物が提供される場合、及び保存されたコンテンツのジャッピングにより継続して変更されるコンテンツとの間に前記鑑賞物が提供される場合のうちの少なくとも１つを含むことができる。
【００１５】
また、前記提供ステップにおいて、前記ユーザの関心度が基準値未満であれば、前記鑑賞物の長さを決定するステップと、前記決定ステップにおいて決定された長さで前記鑑賞物を生成するステップと、前記生成ステップで生成された前記鑑賞物を提供するステップと、を含むことが好ましい。
【００１６】
さらに、前記決定ステップにおいて、現在時刻から前記ユーザの予約時刻までの時間及び前記ユーザの以前鑑賞時間のうちの少なくとも１つに基づいて、前記鑑賞物の長さを決定することが好ましい。
【００１７】
また、前記ユーザの予約時刻は、前記ユーザが視聴予約した放送コンテンツが開始する時刻、前記ユーザが視聴予約した視聴物が再生開始する時刻、及び前記ユーザの選好放送コンテンツが開始する時刻のうちの少なくとも１つであることができる。
【００１８】
さらに、前記把握ステップにおいて、１）前記ユーザがチャネルのジャッピングを行う場合、２）前記ユーザが外部入力のジャッピングを行う場合、３）前記ユーザが保存されたコンテンツのジャッピングを行う場合、４）前記ユーザが前記視聴物の視聴と関連のない操作を行う場合、５）前記ユーザが基準時間以上の間にＥＰＧを操作している場合、及び６）検知されるユーザの行動が特定パターンの行動の場合のいずれか１つであるときは、前記ユーザの関心度を前記基準値未満であると把握することが好ましい。
【００１９】
また、前記鑑賞物は、前記ユーザと関連された少なくとも１つのコンテンツを含むことができる。
【００２０】
また、前記鑑賞物は、前記ユーザの選好度が第１基準値以上であるが、前記ユーザの最近鑑賞の頻度が第２基準値未満である、少なくとも１つのコンテンツを含むことができる。
【００２１】
また、前記提供ステップにおいて、前記ユーザの関心度が基準値未満であれば、前記鑑賞物を鑑賞することを誘導するステップと、前記ユーザが前記鑑賞物の鑑賞に同意すれば、前記鑑賞物を提供するステップと、を含むことが好ましい。
【００２２】
また、前記提供ステップにおいて、前記視聴物に対する前記ユーザの主な視聴を妨害しないながらも前記鑑賞物の視聴を誘導することが好ましい。
【００２３】
一方、本発明に係るビデオ機器は、視聴物を提供するビデオ出力部と、該ビデオ出力部を介して現在提供される視聴物に対するユーザの関心度を把握し、前記ユーザの関心度が基準値未満であれば、前記現在提供される視聴物と異なった鑑賞物が前記ビデオ出力部を介して提供されるよう制御する制御部と、を備える。
【００２４】
また、前記制御部が、前記視聴物に対する前記ユーザの主な視聴を空間的または時間的に妨害しないながらも前記鑑賞物が提供されるよう制御することが好ましい。
【００２５】
また、前記ユーザの主な視聴を時間的に妨害しない場合は、前記視聴物の主な部分に前記鑑賞物によって遮られない場合、前記視聴物に表示された項目が前記鑑賞物によって遮られない場合、及び前記視聴物に表示された項目と同じ形式で鑑賞物を表示する場合のうちの少なくとも１つを含むことができる。
【００２６】
また、前記ユーザの主な視聴を空間的に妨害しない場合は、前記視聴物を構成している場面との間に前記鑑賞物が提供される場合、チャネルのジャッピングにより継続して変更される放送コンテンツとの間に前記鑑賞物が提供される場合、外部入力のジャッピングにより継続して変更されるコンテンツとの間に前記鑑賞物が提供される場合、及び保存されたコンテンツのジャッピングにより継続して変更されるコンテンツとの間に前記鑑賞物が提供される場合のうちの少なくとも１つを含むことができる。
【００２７】
また、前記制御部は、前記ユーザの関心度が基準値未満であれば、前記鑑賞物の長さを決定し、前記決定ステップにおいて決定された長さで前記鑑賞物を生成し、生成された前記鑑賞物が前記ビデオ出力部を介して提供されるよう制御することが好ましい。
【００２８】
また、前記制御部は、現在時刻から前記ユーザの予約時刻までの時間及び前記ユーザの以前鑑賞時間のうちの少なくとも１つに基づいて前記鑑賞物の長さを決定することができる。
【００２９】
また、前記ユーザの予約時刻は、前記ユーザが視聴予約した放送コンテンツが開始する時刻、前記ユーザが視聴予約した視聴物が再生開始する時刻、及び前記ユーザの選好放送コンテンツが開始する時刻のうちの少なくとも１つであることができる。
【００３０】
また、前記制御部は、１）前記ユーザがチャネルのジャッピングを行う場合、２）前記ユーザが外部入力のジャッピングを行う場合、３）前記ユーザが保存されたコンテンツのジャッピングを行う場合、４）前記ユーザが前記視聴物の視聴と関連のない操作を行う場合、５）前記ユーザが基準時間以上の間にＥＰＧを操作している場合、及び６）検知されるユーザの行動が特定パターンの行動の場合のいずれか１つであるときは、前記ユーザの関心度を前記基準値未満であると把握することが好ましい。
【００３１】
また、前記制御部は、前記ユーザの関心度が基準値未満であれば、前記ビデオ出力部を介して前記鑑賞物を鑑賞することを誘導し、前記ユーザが前記鑑賞物の鑑賞に同意すれば、前記鑑賞物がビデオ出力部を介して提供されるように制御することが好ましい。
【００３２】
また、前記制御部は、前記視聴物に対する前記ユーザの主な視聴を妨害しないながらも前記鑑賞物の視聴を誘導することが好ましい。
【発明の効果】
【００３３】
以上で説明したように、本発明によると、保有しているコンテンツに基づいて製造された鑑賞物に対する鑑賞が誘導されることで、ユーザは鑑賞物に対する鑑賞によりエンターテイメントを感じる。また、鑑賞物の提供は、ユーザが意図をもって入力しなくても自動に行われるため、ユーザの便宜性が増大する。
【００３４】
さらに、鑑賞物の提供は、ユーザが現在提供されている視聴物に対する関心がない場合に提供されるため、ユーザの時間を意味のある時間に変える。また、鑑賞物の提供は、現在提供されている視聴物に対する主な視聴を妨害しない方式で行われるため、鑑賞物の提供によってユーザが感じられ得る不便を最小化することができる。
【図面の簡単な説明】
【００３５】
【図１】本発明の一実施形態に係るＤＴＶのブロック図である。
【図２】本発明の他の実施形態に係る鑑賞物の自動提供方法を説明するためのフローチャートである。
【図３】図２に示された鑑賞物の製造ステップの詳細なフローチャートである。
【図４】現在の視聴物に対する視聴を時間的に妨害しないながらも鑑賞物を提供する方法を例示した図である。
【図５】現在の視聴物に対する視聴を時間的に妨害しないながらも鑑賞物を提供する方法を例示した図である。
【図６】現在の視聴物に対する視聴を時間的に妨害しないながらも鑑賞物を提供する方法を例示した図である。
【図７】現在の視聴物に対する視聴を時間的に妨害しないながらも鑑賞物を提供する方法を例示した図である。
【図８】現在の視聴物に対する視聴を時間的に妨害しないながらも鑑賞物を提供する方法を例示した図である。
【図９】現在の視聴物に対する視聴を空間的に妨害しないながらも鑑賞物を提供する方法を例示した図である。
【発明を実施するための形態】
【００３６】
以下は、図面に基づいて本発明をさらに詳説する。
【００３７】
図１は、本発明の一実施形態に係るＤＴＶのブロック図である。同図に示すように、本実施形態に係るＤＴＶは、放送受信部１１０、外部入力部１２０、Ａ／Ｖ処理部１３０、保存部１４０、ＧＵＩ生成部１５０、ビデオ出力部１６０、オーディオ出力部１７０、制御部１８０、通信インタフェース１９０及びリモコン通信部１９５を備える。
【００３８】
放送受信部１１０は、放送局または衛星から有線または無線で放送コンテンツを受信して復調する。外部入力部１２０は、接続した外部機器からコンテンツの入力を受ける。保存部１４０は、コンテンツが保存される記録媒体を備える。
【００３９】
Ａ／Ｖ処理部１３０は、放送受信部１１０から出力される放送コンテンツに対してビデオデコーディング、ビデオスケーリング、オーディオデコーディングなどの信号処理を行う。そして、Ａ／Ｖ処理部１３０は、ビデオ信号をＧＵＩ生成部１５０に、オーディオ信号をオーディオ出力部１７０に各々伝達する。
【００４０】
一方、Ａ／Ｖ処理部１３０は、放送受信部１１０から出力される放送コンテンツの他に、外部入力部１２０から入力されるコンテンツ及び保存部１４０で読み込んだコンテンツに対しても信号処理を行うことができる。
【００４１】
ＧＵＩ生成部１５０は、ビデオ出力部１６０に表示されるＧＵＩを生成し、生成されたＧＵＩをＡ／Ｖ処理部１３０から出力されるビデオに付加する。    ＧＵＩ生成部１５０のＧＵＩ生成の動作は、後述する制御部１８０の制御に従う。
【００４２】
ビデオ出力部１６０は、ＧＵＩ生成部１５０から出力されるＧＵＩが付加されたビデオを示す。また、オーディオ出力部１７０は、Ａ／Ｖ処理部１３０から出力されるオーディオをスピーカを介して出力する。
【００４３】
制御部１８０は、リモコン通信部１９５を介してリモコン２００から伝達されるユーザの操作命令に応じてＤＴＶの全般的な動作を制御する。また、制御部１８０は、通信インタフェース１９０を介して有線または無線で外部機器または外部ネットワークにアクセスできる。
【００４４】
一方、制御部１８０は、ユーザが要請した情報がＧＵＩに提供されるよう、ＧＵＩ生成部１５０を制御する。さらに、制御部１８０は、保存部１４０に保存されたコンテンツを利用して鑑賞物を生成し、生成された鑑賞物を保存部１４０に保存する。
【００４５】
ユーザが現在提供される視聴物に対する関心度が低いと判断されれば、制御部１８０は鑑賞物がＧＵＩに提供されるようＧＵＩ生成部１５０を制御し、それについて図２に基づいて詳説する。同図において、本発明の他の実施形態に係る鑑賞物の自動提供方法を説明するために提供されるフローチャートである。
【００４６】
同図に示すように、制御部１８０は、「現在提供されている視聴物」（以下、「現在の視聴物」と略する）に対するユーザの関心度をモニタする（Ｓ２１０）。Ｓ２１０ステップにおいて「現在の視聴物」とは、ビデオ出力部１６０及びオーディオ出力部１７０を介して現在出力されているコンテンツのことをいう。
【００４７】
このコンテンツは、放送受信部１１０を介して受信される放送コンテンツ（放送プログラム）に限定されない。外部入力部１２０を介して外部機器から入力されるコンテンツや、保存部１４０に保存されているコンテンツの場合であってもビデオ出力部１６０及びオーディオ出力部１７０を介して現在出力されれば、現在出力されているコンテンツ、すなわち現在の視聴物に該当する。
【００４８】
さらに、現在の視聴物はコンテンツに限定されることなく、ＥＰＧ、ウィジェット（ｗｉｄｇｅｔ）、外部入力の目録、メニューなどが表示された画面も現在の視聴物になり得る。
【００４９】
また、ユーザの関心度とは、ユーザが現在の視聴物に対してどれほど関心または興味を持っているかに対する尺度を示すものであって、ユーザの関心度はユーザの操作に応じて示される。すなわち、ユーザの関心度は、ユーザの操作が行われる間に、ユーザの操作を介して把握できるといえる。
【００５０】
例えば、ユーザがチャネルのジャッピング（ｚａｐｐｉｎｇ）を行う場合、現在の視聴物に対するユーザの関心度が低いものとして、すなわちユーザの関心度が基準値未満であると把握する。ここで、チャネルのジャッピングとは、ユーザが１つのチャネルを持続的に視聴せず、継続してチャネルを変える動作をいう。
【００５１】
同様に、ユーザが外部入力のジャッピングを行う場合、または保存されたコンテンツをジャッピングする場合にも、現在の視聴物に対するユーザの関心度が低いと把握できる。ここで、外部入力のジャッピングとは、ユーザが継続して外部入力を変える動作であり、保存されたコンテンツのジャッピングとは、ユーザが継続して再生するコンテンツを変える動作をいう。
【００５２】
また、ユーザが現在の視聴物の視聴と関連のない操作を行う場合であっても、現在の視聴物に対するユーザの関心度が低いと把握できる。現在の視聴物の視聴と関連した操作の代表的な例として、ボリュームの操作、画面比率の操作、画面明るさの操作などが挙げられる。そして、現在の視聴物の視聴と関連のない操作の代表的な例として、現在時刻、チャネルロックなどの設定のための操作である。
【００５３】
一方、ユーザがＥＰＧを呼び出して希望する放送コンテンツを探索する場合も、現在の視聴物に対するユーザの関心度が低いと把握できる。
【００５４】
Ｓ２１０ステップにおいて、モニタしているユーザの関心度が高いと判断されれば（Ｓ２２０−Ｎ）、継続してユーザに現在の視聴物のみを提供する（Ｓ２７０）。ユーザが現在の視聴物に高い関心を見せて視聴しているためである。
【００５５】
Ｓ２２０ステップにおいて、ユーザの関心度が高いと判断される場合、前記した例示に該当しない場合である。
【００５６】
一方、Ｓ２１０ステップにおいて、モニタしているユーザの関心度が低いと判断されれば（Ｓ２２０−Ｙ）、制御部１８０は、視聴物の他に鑑賞物をユーザへ提供する（Ｓ２３０ステップないしＳ２６０ステップ）。
【００５７】
このために、制御部１８０は、ユーザに提供する鑑賞物を新たに製造するか否かを決定する（Ｓ２３０）。
【００５８】
Ｓ２３０ステップにおける決定は、１）ランダムに行われるか、または２）特定の基準にしたがって行われることができる。ここで、特定の基準は、必要に応じて設定でき、例えば、ｉ）現在まで製造された鑑賞物をユーザが最近（例えば、１週間以内）すべて鑑賞した場合、ｉｉ）現在まで製造して保有している鑑賞物の個数が１００個以上である場合などの場合は鑑賞物を製造しないことと決定することができる。
【００５９】
Ｓ２３０ステップにおいて、鑑賞物を新たに製造しないと決定されれば（Ｓ２３０−Ｎ）、制御部１８０は、保存部１４０にすでに保存されている鑑賞物のうちの１つを選択する（Ｓ２５０）。
【００６０】
鑑賞物の選択は様々な方式で行われ得る。鑑賞物は、ユーザの選好度及びユーザが最近鑑賞した頻度に基づいて選択できる。例えば、ユーザの選好度が５点満点で４点以上の鑑賞物のうち、最近鑑賞した頻度が低い鑑賞物を選択することができる。
【００６１】
一方、Ｓ２３０ステップにおいて、鑑賞物を新たに製造すると決定されれば（Ｓ２３０−Ｙ）、制御部１８０は鑑賞物を新たに製造する（Ｓ２４０）。
【００６２】
以下は、鑑賞物を製造する過程を図３に基づいて詳説する。同図は、図２に示された鑑賞物の製造ステップ（Ｓ２４０）の詳細なフローチャートである。
【００６３】
図３に示すように、鑑賞物を新たに製造すると決定されれば（Ｓ２３０−Ｙ）、制御部１８０は先に鑑賞物の長さを決定する（Ｓ２４１）。
【００６４】
鑑賞物の長さ決定は様々な方式で行われ得るが、以下はこの方式について記述する。第１に、鑑賞物の長さは、ユーザの放送コンテンツの視聴予約の時刻に基づいて算定できる。例えば、ユーザが視聴予約した放送コンテンツの開始時刻が１６：００であり、現在時刻が１５：５０である場合、鑑賞物の長さは１０分未満に決定される。ユーザが鑑賞物の全部を鑑賞しても、視聴予約した放送コンテンツを視聴するのに差し支えのないようするためである。
【００６５】
第２に、鑑賞物の長さは、ユーザの平均鑑賞時間に基づいて決定できる。例えば、ユーザが前に鑑賞した鑑賞物の鑑賞時間に対する平均が１５分であれば、鑑賞物の長さは１５分未満に決定される。
【００６６】
一方、上記した第１の場合と第２の場合とを組み合わせた方式で鑑賞物の長さを決定することもできる。例えば、１）ユーザの平均鑑賞時間が１５分であり、ユーザが視聴予約した放送コンテンツの開始時刻まで１０分が残った場合、鑑賞物の長さは１０分未満に決定するが、２）ユーザの平均鑑賞時間が１５分であり、ユーザが視聴予約した放送コンテンツの開始時刻まで２０分が残った場合、鑑賞物の長さは１５分未満に決定することがこれに該当する。
【００６７】
その後、制御部１８０は、Ｓ２４１ステップで算定された鑑賞物の長さに基づいて鑑賞物に含まれるコンテンツを選択する（Ｓ２４２）。
【００６８】
このとき、選択されるコンテンツは１）写真、２）動画、３）写真と動画であり得る。このとき、鑑賞物に含まれるコンテンツは、ユーザと関連したコンテンツにすることができる。すなわち、ユーザによって生成されたコンテンツであって、ユーザが直接登場したり、ユーザの家族、友人、または職場の同僚が登場するコンテンツにすることが可能である。
【００６９】
鑑賞物に含まれるコンテンツ選択においても様々な方式で行われることができ、以下はこの方式に対して記述する。
【００７０】
第１に、鑑賞物に含まれるコンテンツは、ユーザの選好度及びユーザの最近鑑賞の頻度に基づいて選択できる。例えば、ユーザの選好度が５点満点に４点以上のコンテンツのうち、最近鑑賞の頻度が低いコンテンツを、鑑賞物に含まれるコンテンツとして選択することができる。
【００７１】
このとき、選択されるコンテンツは相互関連性のあるもので選択できる。例えば、コンテンツの生成日付が類似のコンテンツ、コンテンツの名称が類似のコンテンツ、収録されたメタデータの内容から相互関連性のあることを確認できるコンテンツを共に選択することが可能である。このような方式でコンテンツを選択すれば、鑑賞物は、例えば、子どもの満１才の誕生日パーティに関するコンテンツから構成されるか、または小学校の卒業式に関するコンテンツから構成され得る。
【００７２】
第２に、鑑賞物に含まれるコンテンツは、ユーザの鑑賞頻度に基づいて選択できる。例えば、ユーザの鑑賞頻度が低いコンテンツを、鑑賞物に含まれたコンテンツとして選択できる。これは、ユーザに「このようなコンテンツがあったな」または「このようなコンテンツがあったよね」といった興味を与えて誘発させるに適する。
【００７３】
一方、鑑賞物がテンプレート基盤で提供されたものであれば、選択されたコンテンツを調整することができる。例えば、鑑賞物が一回に７つのコンテンツを同時に示すことができるテンプレートを介して提供されるが、選択されたコンテンツの個数が１０個である場合、選択されたコンテンツのうちの３つを除外させるか、４つのコンテンツをさらに選択し、選択されたコンテンツを調整することである。
【００７４】
このとき、除外されるコンテンツは、他のコンテンツと背景が類似したコンテンツ、または手の震えが発生したコンテンツなどですることが好ましい。
【００７５】
その後、制御部１８０は、バックミュージックを選択する（Ｓ２４３）。Ｓ２４３ステップにおいて選択されるバックミュージックは、保存部１４０に保存された音楽コンテンツのいずれか１つであって、Ｓ２４２ステップにおけるコンテンツの選択方式と同じ方式で選択可能である。
【００７６】
次に、制御部１８０は、鑑賞物のタイトルを生成する（Ｓ２４４）。具体的に、制御部１８０は、Ｓ２４２ステップにおいて選択されたコンテンツのメタデータに共通に収録されている単語や、最も多く収録されている単語を利用して鑑賞物のタイトルを生成することができる。
【００７７】
そして、制御部１８０は、鑑賞物のプレビューを生成する（Ｓ２４５）。もし、Ｓ２４２ステップで選択されたコンテンツが写真であれば、制御部１８０は、これらのいずれか１つを縮小してプレビューを生成したり、縮小された写真のスライドショーをプレビューすることで生成することができる。
【００７８】
一方、Ｓ２４２ステップにおいて選択されたコンテンツが動画であれば、制御部１８０は、これらのいずれか１つの最初の場面を縮小してプレビューを生成したり、縮小された動画の最初の場面のスライドショーをプレビューして生成することができる。
【００７９】
Ｓ２４１ステップないしＳ２４５ステップによって、鑑賞物の製造が完了する。その後、制御部１８０は、Ｓ２４１ステップないしＳ２４５ステップを介して製造が完了された鑑賞物を保存部１４０に保存する（Ｓ２４６）。
【００８０】
Ｓ２４６ステップにおいて製造された鑑賞物を保存する理由は、Ｓ２５０ステップにおいて鑑賞物の選択時に利用するためである。
【００８１】
以上は、鑑賞物の製造ステップ（Ｓ２４０）に対して図３に基づいて詳説した。再び図２に基づいて説明すると、鑑賞物の製造ステップ（Ｓ２４０）または鑑賞物の選択ステップ（Ｓ２５０）の後に、鑑賞物の提供ステップ（Ｓ２６０）が行われることが分かる。
【００８２】
鑑賞物の提供ステップ（Ｓ２６０）は、Ｓ２４０ステップで新たに製造された鑑賞物またはＳ２５０ステップで選択された鑑賞物を、現在の視聴物の視聴に妨害しない方式で提供するステップである。
【００８３】
このために、制御部１８０は、現在の視聴物に対するユーザの主な視聴を時間的または空間的に妨害しない方式で鑑賞物が提供されるようＧＵＩ生成部１５０を制御する。
【００８４】
現在の視聴物に対するユーザの主な視聴を時間的に妨害しない代表的な例は、鑑賞物を現在の視聴物と共に提供し、現在の視聴物の主な部分が鑑賞物によって遮られない場合である。
【００８５】
図４には、現在の視聴物の主な部分を遮らない方式で鑑賞物を提供する方式が例示されている。同図に示すように、鑑賞物４１０は、現在の視聴物の主な部分の１）中央領域、２）放送局に対する情報（ＳＡＴＶ）が表示された領域、及び３）チャネルに対する情報（ＣＨ４５）が表示された領域を遮ることなく表示されていることが確認できる。
【００８６】
一方、鑑賞物４１０に表示された「Ｍｙ  Ｍｅｍｏｒｙ」は鑑賞物４１０のタイトルを意味し、タイトルの周辺に記載された「１０：００」は鑑賞物４１０の総再生時間を意味する。
【００８７】
現在の視聴物に対するユーザの主な視聴を時間的に妨害しない場合の他の例が、現在の視聴物に表示された項目を遮ることなく、その項目と同じ形式で鑑賞物を表示することである。これは、現在の視聴物がＥＰＧ画面である場合、またはウィジェット、外部入力の目録、メニューなどが表示された画面に適する。以下は、各々の場合に対して詳説する。
【００８８】
図５には、現在の視聴物であるＥＰＧ画面に対する主な視聴を空間的に妨害することなく鑑賞物が表示された場合を示している。同図に示すように、鑑賞物５２０は、現在選択された放送人「ＡＡＡ」に対するプレビュー項目５１０を遮ることなく、これと同じ形式で表現され、ユーザがＥＰＧ画面を見ながら希望する操作を入力する時いずれの妨害を受けていないことが確認できる。
【００８９】
図６には、現在の視聴物のウィジェットが表示された画面に対する主な視聴を時間的に妨害することなく鑑賞物が表示された場合を示している。同図に示すように、鑑賞物６４０は、ウィジェット６１０、６２０、及び６３０を遮ることなく、これと同じ形式で表現され、ユーザがウィジェット６１０、６２０、及び６３０を見る時いずれの妨害を受けていないことが確認できる。
【００９０】
図７には、現在の視聴物のＴＶ／外部入力の目録が表示された画面に対する主な視聴を時間的に妨害することなく鑑賞物が表示された場合を示している。同図に示すように、鑑賞物７２０は、ＴＶ／外部入力の目録７１０に羅列された項目（ＴＶ、外部入力１、外部入力２、Ｓ−映像、．．．、ＨＤＭＩ）を遮ることなく、これと共に同等に羅列され、ユーザがＴＶ／外部入力の目録７１０を見ながら操作する時いずれの妨害を受けていないことが確認できる。
【００９１】
図８には現在の視聴物の設定メニューが表示された画面に対する主な視聴を時間的に妨害することなく鑑賞物が表示された場合を示している。同図に示すように、鑑賞物８２０は、設定メニュー８１０に羅列された項目（現在時刻、時間予約、ゲームモード、．．．、機能に対する助言）を遮ることなく、これと共に同等に羅列され、ユーザが設定メニュー８１０を見ながら操作する時いずれの妨害を受けていないことが確認できる。
【００９２】
一方、現在の視聴物に対するユーザの主な視聴を空間的に妨害しない場合、鑑賞物を現在の視聴物と共に提供しない場合である。これに対する代表的な例が、チャネルのジャッピングにより継続して変更される放送画面との間に鑑賞物を提供することである。
【００９３】
図９に示すように、チャネルのジャッピング時に現在の視聴物の放送コンテンツが「ＣＨ９９９」から「ＣＨ００１」に直ちに移らず、鑑賞物を介して移ることがこれに該当する。すなわち、「ＣＨ９９９」から「ＣＨ００１」に移る間に、鑑賞物が登場する。
【００９４】
これは、視聴物を構成している場面との間に鑑賞物が提供される場合である。チャネルのジャッピングでない外部入力のジャッピングまたは保存されたコンテンツをジャッピングする場合であっても、ジャッピングされる外部入力との間、または保存されたコンテンツとの間に鑑賞物を配置する方式で具現可能である。
【００９５】
以上では本発明の好ましい実施形態に対して詳説した。
【００９６】
本実施形態では、ユーザの関心度はユーザの操作に基づいて把握した。しかし、追加的にユーザの行動に基づいてユーザの関心度を把握することも可能である。例えば、検知されるユーザの行動が特定パターンの行動である場合、例えば、ユーザが目を閉じている場合、目をしばたく場合、伸びをする場合には、ユーザの関心度が低いものと把握できる。
【００９７】
また、本実施形態において鑑賞物は、保存部１４０に保存されたコンテンツからなると想定したが、これも説明の便宜のための一例に過ぎない。したがって、外部入力部１２０を介して受信可能な外部機器に保存されているコンテンツ、または通信インタフェース１９０を介してアクセスできる外部機器や外部ネットワークから獲得可能なコンテンツで鑑賞物を製造することも可能である。
【００９８】
また、図３に示すＳ２４１ステップにおいて、鑑賞物の長さはユーザの放送コンテンツの視聴の予約時刻に基づいて算定したが、これも例示的なものである。ユーザが保存部１４０に保存されたコンテンツを視聴予約した場合、このコンテンツが再生開始される時刻から鑑賞物の長さを決定する。また、ユーザの選好放送が指定された場合、ユーザの選好放送のコンテンツが開始する時刻から鑑賞物の長さを決定する。
【００９９】
一方、鑑賞物の自動提供時点をＤＴＶが消えている場合に待機状態で具現することも可能である。この場合、鑑賞物の大きさはＤＴＶ画面の大きさで具現することができ、これよりも小さく具現することもできる。また、ＤＴＶは、電子フレームとしても機能できる。
【０１００】
また、本実施形態において、１つの鑑賞物を製造して１つの鑑賞物を提供すると想定した。しかし、２つ以上の鑑賞物を製造して２つ以上の鑑賞物を提供することも可能であることは言うまでもない。
【０１０１】
一方、本実施形態では、ユーザの関心度が低い場合は鑑賞物を直ちに提供すると想定したが、これと相違に具現することも可能である。例えば、ユーザの関心度が低い場合、鑑賞物のプレビューを提供することで鑑賞物を鑑賞するようユーザに誘導することができる。このとき、鑑賞物のプレビューは、視聴物に対するユーザの主な視聴を妨害しないよう提供することが好ましい。
【０１０２】
その後、ユーザが鑑賞物のプレビューを選択する方式などで鑑賞物の鑑賞に同意すれば、鑑賞物の提供を具現することができる。一方、鑑賞物が提供された後ユーザの同意があれば、鑑賞物を全画面で提供することもできる。
【０１０３】
一方、リモコン２００にディスプレイ機能が備えられている場合には、リモコン通信部１９０を介してリモコン２００に鑑賞物を伝達し、リモコン２００で鑑賞物が提供されるよう具現可能である。
【０１０４】
ディスプレイ機能を備えているリモコン２００として、タッチスクリーンを備えたリモコン、ディスプレイボタンを備えたリモコンなどが挙げられる。
【０１０５】
一方、本実施形態において想定したＤＴＶは、ビデオ機器の一例に過ぎない。したがって、ＤＴＶ以外の他のビデオ機器も本発明の技術的な思想が適用され得る。
【０１０６】
以上は本発明の好ましい実施形態に対して図示かつ説明したが、本発明は前述した特定の実施形態に限定されず、請求範囲において請求する本発明の要旨を脱避することなく発明が属する技術分野における通常の知識を有する者によって多様な変形実施が可能である。このような変形実施は、本発明の技術的な思想または展望から個別に理解されてはいけないのである。
【符号の説明】
【０１０７】
１１０  放送受信部
１２０  外部入力部
１３０  Ａ／Ｖ処理部
１４０  保存部
１５０  ＧＵＩ生成部
１６０  ビデオ出力部
１７０  オーディオ出力部
１８０  制御部
１９０  通信インタフェース
１９５  リモコン通信部
２００  リモコン
【図１】
2010166561.tif 000003
【図２】
2010166561.tif 000004
【図３】
2010166561.tif 000005
【図４】
2010166561.tif 000006
【図５】
2010166561.tif 000007
【図６】
2010166561.tif 000008
【図７】
2010166561.tif 000009
【図８】
2010166561.tif 000010
【図９】
2010166561.tif 000011